(57)【要約】【課題】本発明は、整粒品質向上のために選別網の目合いを大きくし、選別網から漏出する穀粒の内、販売可能な穀粒（中米）のみを再選別することのできる安価、且つ、コンパクトな揚穀選別機を提供する。【解決手段】一次選別機Ａにより粒径選別した整粒以外の穀粒５を再度粒径選別する揚穀選別機において、下部フレーム１に設けた駆動モータＭによって駆動される揚穀ラセン２を収納する揚穀フレーム３を斜め上方へ向け傾斜立設し、揚穀フレーム３内の揚穀ラセン２に近接する選別網４を設けて穀粒５を選別可能に構成し、該選別網４で選別された屑粒５ａを排出する屑粒シュート６を前記揚穀フレーム３下部に、又、整粒５ｂを排出する整粒シュート７を揚穀フレーム３上部に設けてなる揚穀選別機の構成とする。【選択図】図１
2008221045.tif 000002
【特許請求の範囲】
【請求項１】
一次選別機（Ａ）により粒径選別した整粒以外の穀粒（５）を再度粒径選別する揚穀選別機において、下部フレーム（１）に設けた駆動モータ（Ｍ）によって駆動される揚穀ラセン（２）を収納する揚穀フレーム（３）を斜め上方へ向け傾斜立設し、揚穀フレーム（３）内の揚穀ラセン（２）に近接する選別網（４）を設けて穀粒（５）を選別可能に構成し、該選別網（４）で選別された屑粒（５ａ）を排出する屑粒シュート（６）を前記揚穀フレーム（３）下部に、又、整粒（５ｂ）を排出する整粒シュート（７）を揚穀フレーム（３）上部に設けてなる揚穀選別機。
【請求項２】
屑粒シュート（６）と整粒シュート（７）とを、揚穀フレーム（３）を傾斜させた方向の前方傾め下方、又は、下方に向け各々延設し、その下方に空間部（Ｙ）を形成してなる請求項１に記載の揚穀選別機。
【請求項３】
選別網（４）を略半割形状に形成し、傾斜立設させた揚穀ラセン（２）の下側部（Ｓ）で着脱自在に構成してなる請求項１又は２に記載の揚穀選別機。
【請求項４】
傾斜立設させた揚穀ラセン（２）の傾斜角（α）を変更可能な傾斜角変更手段（８）を設けてなる請求項１から３いずれかに記載の揚穀選別機。
【請求項５】
揚穀ラセン（２）の選別網（４）に対応する部位（Ｌ）の揚穀ラセン（２）ピッチ（Ｐ）間に、選別網（４）の内側から接近乃至摺接して該選別網（４）の目詰まりを防止する目詰まり防止具（１０）を設けてなる請求項１から４いずれかに記載の揚穀選別機。
【請求項６】
揚穀ラセン（２）の穀粒（５）搬送面（２ａ）の裏側（２ｂ）に、揚穀ラセン（２）ピッチ（Ｐ）よりも短い目詰まり防止具（１０）を設けてなる請求項５記載の揚穀選別機。
【請求項７】
目詰まり防止具（１０）を交換自在、且つ、柔軟性を有する樹脂材、又は、ゴム材で構成してなる請求項５又は６に記載の揚穀選別機。
【請求項８】
駆動モータ（Ｍ）上方、且つ、揚穀フレーム（３）下部上側に穀粒（５）が供給されるホッパ（９）を設け、該ホッパ（９）の幅（Ｗ）を平面視少なくとも下部フレーム（１）の幅（Ｗ１）と略同幅に形成してなる請求項１から７いずれかに記載の揚穀選別機。
【請求項９】
下部フレーム（１）の後端部（１ａ）とホッパ（９）の後端部（９ａ）とを平面視略同位置に配置させてなる請求項８記載の揚穀選別機。
【発明の詳細な説明】
【技術分野】
【０００１】
本発明は、米や麦等の穀粒を粒径の大小によって選別する選別機に関し、詳しくは一次選別機によって選別された穀粒の内、整粒以外の穀粒を再選別する揚穀選別機に関する。
【背景技術】
【０００２】
従来より、選別筒に収嵌したラセン筒で穀粒を送り揚げたり降ろしたりしながら選別網から粒径の小さな小米や屑粒を漏出させて選別し整粒を得る縦型穀粒選別機（例えば、特許文献１参照）が知られている。
【特許文献１】特公昭６２−５７３９３公報
【発明の開示】
【発明が解決しようとする課題】
【０００３】
近年、市場では選別網の目合いを大きくして一次選別機側で得ることのできる整粒の品質を向上させることが望まれているが、その一方で目合いを大きくしたことにより、選別網から漏出する穀粒の量が増大するという不都合がある。網目合いの異なる選別機を並設し、一次選別機により選別した整粒を二次選別することによって、品質の高い整粒と、整粒に比べて若干品質の劣る中米とを別々に得ることのできる二段選別も可能ではあるが、複数の選別機が必要であるため、高価になってしまうという問題もあった。特に小規模農家では整粒の中から中米を得るために複数の選別機を購入することは困難であり、又、１台の選別機で再選別するためには、一旦選別した穀粒を溜めておいて、選別網の目合いを変更後、再度同じ選別機で選別を行わなければならないというわずらわしいものであった。
本発明は、整粒品質向上のために目合いを大きくし選別網から漏出する穀粒の内、販売可能な穀粒（中米）のみを再選別することのできる安価、且つ、コンパクトな揚穀選別機を提供することを課題とする。
【課題を解決するための手段】
【０００４】
一次選別機Ａにより粒径選別した整粒以外の穀粒５を再度粒径選別する揚穀選別機において、下部フレーム１に設けた駆動モータＭによって駆動される揚穀ラセン２を収納する揚穀フレーム３を斜め上方へ向け傾斜立設し、揚穀フレーム３内の揚穀ラセン２に近接する選別網４を設けて穀粒５を選別可能に構成し、該選別網４で選別された屑粒５ａを排出する屑粒シュート６を前記揚穀フレーム３下部に、又、整粒５ｂを排出する整粒シュート７を揚穀フレーム３上部に設けてなる揚穀選別機の構成とする。
【０００５】
また、屑粒シュート６と整粒シュート７とを、揚穀フレーム３を傾斜させた方向の前方傾め下方、又は、下方に向け各々延設し、その下方に空間部Ｙを形成してなる揚穀選別機とする。
【０００６】
更に、選別網４を略半割形状に形成し、傾斜立設させた揚穀ラセン２の下側部Ｓで着脱自在に構成してなる揚穀選別機とそする。
【０００７】
又、傾斜立設させた揚穀ラセン２の傾斜角αを変更可能な傾斜角変更手段８を設けてなる揚穀選別機とする。
【０００８】
又、揚穀ラセン２の選別網４に対応する部位Ｌの揚穀ラセン２ピッチＰ間に、選別網４の内側から接近乃至摺接して該選別網４の目詰まりを防止する目詰まり防止具１０を設けてなる揚穀選別機とする。
【０００９】
更に、揚穀ラセン２の穀粒５搬送面２ａの裏側２ｂに、揚穀ラセン２ピッチＰよりも短い目詰まり防止具１０を設けてなる揚穀選別機とする。
【００１０】
更に、目詰まり防止具１０を交換自在、且つ、柔軟性を有する樹脂材、又は、ゴム材で構成してなる揚穀選別機とする。
【００１１】
又、駆動モータＭ上方、且つ、揚穀フレーム３下部上側に穀粒５が供給されるホッパ９を設け、該ホッパ９の幅Ｗを平面視少なくとも下部フレーム１の幅Ｗ１と略同幅に形成してなる揚穀選別機とする。
【００１２】
更に、下部フレーム１の後端部１ａとホッパ９の後端部９ａとを平面視略同位置に配置させてなる揚穀選別機とする。
【発明の効果】
【００１３】
請求項１の発明にあっては、下部フレーム１に設けた駆動モータＭによって駆動される揚穀ラセン２を収納する揚穀フレーム３を斜め上方へ向け傾斜立設し、揚穀フレーム３内の揚穀ラセン２に近接する選別網４を設けて穀粒５を選別可能に構成し、該選別網４で選別された屑粒５ａを排出する屑粒シュート６を前記揚穀フレーム３下部に、又、整粒５ｂを排出する整粒シュート７を揚穀フレーム３上部に設けてあるので、重量物の駆動モータＭを下部に配置することができ、傾斜立設した揚穀フレーム３を下部フレーム１で安定して支持することができる。
又、請求項２の発明にあっては屑粒シュート６と整粒シュート７とを、揚穀フレーム３を傾斜させた方向の前方斜め下方、又は、下方に向け各々延設し、その下方に空間部Ｙを形成してあるので、屑粒シュート６や整粒シュート７から排出される屑粒５ａや整粒５ｂの受け袋が置き易く、作業性が向上する。
【００１４】
又、請求項３の発明にあっては選別網４を選別網４を略半割形状に形成し、傾斜立設させた揚穀ラセン２の下側部Ｓで着脱自在に構成してあるので、選別網４を容易に交換することができ、選別能率の変更が容易である。
更に、請求項４の発明にあっては傾斜立設させた揚穀ラセン２の傾斜角αを変更可能な傾斜角変更手段８を設けてあるので、揚穀ラセン２により揚穀される穀粒５の選別網４に当接する量を可変でき、選別率の変更を容易に行うことができる。
【００１５】
又、請求項５の発明にあっては揚穀ラセン２の選別網４に対応する部位Ｌの揚穀ラセン２ピッチＰ間に、選別網４の内側から接近乃至摺接して該選別網４の目詰まりを防止する目詰まり防止具１０を設けてあるので、簡単、安価な構成で選別網４の目詰まりを防止することができる。
更に、請求項６の発明にあっては揚穀ラセン２の穀粒５搬送面２ａの裏側２ｂに、揚穀ラセン２ピッチＰよりも短い目詰まり防止具１０を設けてあるので、揚穀ラセン２による穀粒５の搬送を阻害することのない位置に選別網４の目詰まりを防止する目詰まり防止具１０を設けることができる。
更に、請求項７の発明にあっては目詰まり防止具１０を交換自在、且つ、柔軟性を有する樹脂材、又は、ゴム材で構成してあるので、目詰まり防止具１０を安価に構成できるとともに、その交換が容易である。
【００１６】
又、請求項８の発明にあっては駆動モータＭ上方、且つ、揚穀フレーム３下部上側に穀粒５が供給されるホッパ９を設け、該ホッパ９の幅Ｗを平面視少なくとも下部フレーム１の幅Ｗ１と略同幅に形成してあるので、ホッパ９をコンパクトに構成することが可能であるとともに、揚穀選別機を一次選別機Ａへ接近させて配置させることができる。
更に、請求項９の発明にあっては下部フレーム１の後端部１ａとホッパ９の後端部９ａとを平面視略同位置に配置させてあるので、ホッパ９や揚穀選別機全体の機体寸法を更にコンパクトに構成することが可能であるとともに揚穀選別機を一次選別機Ａの小米口１９に対して自由なレイアウトで配置できる。
【発明を実施するための最良の形態】
【００１７】
図例に基づいて、玄米等の穀粒を選別する一次選別機Ａは、選別網目を形成した円筒状の選別筒を縦方向に設けて、この選別筒の内側に沿って揚穀搬送用のラセンを回転させることにより、穀粒を下部から上方へ揚送しながら、この選別筒から外周へ小米や屑粒を漏出させて、整粒と小米、屑粒とに選別する縦型選別機の形態としている。このような選別筒や揚送ラセン等を内装する選別ケース１４の背面に、選別しようとする玄米を供給する供給ホッパを有し、上部正面には選別された整粒を取出す玄米取出口１５を有した貯留タンク１６を形成する。前記玄米取出口１５には開閉可能のシャッター２０を設け、その下方の計量器２１上に載置の玄米袋保持具２５に保持した玄米袋２４内に整粒の計量袋詰め作業を行うことができる。又、この選別ケース１４の左右一側面に選別小米の取出口１７を形成するとともに、この外側に小米取出シュート１８を設けてある。小米取出シュート１８から下方に向け傾斜延設した小米口１９を設けてあり、又、小米取出シュート１８下方には糠シュート２２を設け、該糠シュート２２下方に糠回収用の回収箱２３を配置してある。
【００１８】
近年、市場では一次選別機Ａにより選別され計量袋詰めされる整粒の品質向上が望まれており、従来の選別網の目合い（例えば１.８０）よりも大きい目合い（例えば１．８５）で選別を行う必要性があり、この場合、一次選別機Ａで袋詰めされる整粒の品質は高くなるものの、整粒量は減少し、逆に、小米口１９から放出される穀粒５の量が増加することとなる。この増加する穀粒は、従来の選別（目合い１．８０）で整粒として袋詰めされていた整粒であることから、通称中米と言われており、この中米は商品価値を有するものであるため、小米口１９から放出される穀粒（中米、小米、屑粒）の中から中米のみを再選別する必要性がある。
【００１９】
従って、本願発明は、一次選別後の小米口１９から放出される穀粒を再選別して、中米のみを得ることのできる揚穀選別機であり、下部フレーム１を側面視下方開放コの字状に形成したパイプフレーム２７を並設し、その上部を連結した連結板２８下方に揚穀ラセン２駆動用の駆動モータＭ及び、ギヤボックス２９を吊設してある。この上方には、斜め上方へ向け傾斜立設した揚穀フレーム３を設けてあり、該揚穀フレーム３には、ホッパ９から供給される穀粒５を上方へ搬送するための揚穀ラセン２と揚穀ラセン２に沿う固定の選別網４を内設してある。選別網４は、図３に示すように略半割形状に形成してあり、揚穀ラセン２の少なくとも下側半分を覆う形態とし、取着面３０を形成してある。又、選別網４の周面には選別する穀粒５の径に対応した長孔状の選別孔３１を複数列配列し、この選別孔３１から漏出する小米や屑粒５ａは外殻体３２内を落下して下方に設けた屑粒シュート６から放出させることができる。選別網４から漏出しない整粒５ｂは、揚穀ラセン２によって送り上げられ、上部の整粒シュート７から放出される。
尚、本実施例においては、選別網４は半割形状に形成し、揚穀ラセン２の下側半分に沿って設けてあるが、この半割形状の選別網４二個を円筒状になるよう組み合わせ、揚穀ラセン２全周に渡って選別網４面積を増加させることも可能である。
【００２０】
又、揚穀フレーム３を傾斜立設し、屑粒シュート６と整粒シュート７を同方向に配置するとともに、重量物の駆動モータＭやギヤボックス２９を下部フレーム１に配置してあるので、下部フレーム１のみで傾斜させた揚穀フレーム３を支持することが可能であり、揚穀フレーム３下方に空間部Ｙを形成してあるので、屑粒５ａや整粒５ｂの受け袋が置き易く、作業性の向上にもつながる。
【００２１】
下部フレーム１には、揚穀フレーム３の傾斜角αを変更することのできる傾斜角変更手段８を設けてある。図１に示す実施例にあっては、下部フレーム１に設けた回転軸３３を中心に、駆動モータＭやギヤボックス２９、揚穀フレーム３を一体的に回動可能に構成してある。パイプフレーム２７は４本足形態に形成してあり、３７は機体を安定させるためのスタンドである。
又、図４に示す実施例ではパイプフレーム２７の前足３８側にスタンド３７を取着し、後足３９側を伸縮可能に構成することによって傾斜角αを変更可能にしてある。
この構成により、揚穀選別部の傾斜角αを変更することで、揚穀ラセン２により搬送される穀粒５の選別網４に当接する量が可変でき、選別率を変化させることが可能である。従って、傾斜角αを変更可能ならば、前記の傾斜角α変更方法に限定するものではないが、簡単安価な構成によって傾斜角αを変更させることが好ましい。
【００２２】
本発明の揚穀選別機は、選別網４が固定形態のため、選別網４の目詰まり防止を行うにあたっては、図５に示すように選別網４の内側に目詰まり防止具１０を設けてある。従って目詰まり防止具１０は回動する揚穀ラセン２の穀粒５搬送を阻害しない位置に設け、選別網４の内側から目詰まり防止具１０を接近乃至摺接させて選別網４の目詰まりを防止するものである。該目詰まり防止具１０は揚穀ラセン２の穀粒５搬送面２ａの裏側２ｂに、揚穀ラセン２ピッチＰよりも短い大きさで設けてあり、すなわち目詰まり防止具１０と搬送面２ａとの間に、穀粒５を揚穀搬送するための隙間３４を形成してある。この目詰まり防止具１０は、揚穀ラセン２に溶着の取付ステー３５に着脱自在に取着してあり、選別網４の長さに対応する部位Ｌ全てに渡って目詰まり防止効果を発揮できるよう、約１８０°の位相で連続配置してある。又、柔軟性を有する樹脂材、又はゴム材で構成してあるので安価に構成可能で交換も容易に行うことができる。更に、選別網４の外側から摺接させる目詰まり防止方法に比べ、内側に目詰まり防止具１０を設ければ、目詰まり防止具１０が回転しながら揚穀ラセン２搬送面２ａを搬送される穀粒５を選別網４側へ押し出す作用があるため、必ずしも目詰まり防止具１０を選別網４に摺接させる必要がなく、摺接による摩耗が少ないという効果も奏し得る。
図６は、穀粒５搬送用の揚穀ラセン２に加え、ラセンブラシ３６を２条のラセン形態となるよう設けた別実施例を示すものである。穀粒５の揚穀搬送は主に揚穀ラセン２の搬送面２ａで行い、ラセンブラシ３６を選別網４に接近乃至摺接させることで、選別網４の目詰まりを防止してある。
【００２３】
図７は、ホッパ９と下部フレーム１との位置関係を記載したものであり、駆動モータＭ上方、且つ、揚穀フレーム３下部上側に穀粒５が供給されるホッパ９を設けてある。重量物である駆動モータＭやギヤボックス２９を吊設した下部フレーム１は、揚穀フレーム３を上方へ傾斜立設させた場合にも安定性が良く、コンパクトに構成することができ、このコンパクトな下部フレーム１の幅Ｗ１とホッパ９の幅Ｗとを略同幅に形成してあるので、一次選別機Ａに本発明の揚穀選別機を接近させて配置することができ、一次選別機Ａ小米口１９下方へ確実にホッパ９を配置させることが可能となる。更に、下部フレーム１の後端部１ａとホッパ９の後端部９ａとを平面視略同位置に配置してあるので、図８に示すように一次選別機Ａの小米口１９に対して自由なレイアウトで揚穀選別機を配置させることができるとともに、揚穀選別機全体の機体寸法をコンパクトに構成することが可能である。
【図面の簡単な説明】
【００２４】
【図１】一次選別機の正面図及び揚穀選別機の側面図
【図２】揚穀選別機の側面図
【図３】揚穀選別機の選別網を示す斜視図
【図４】揚穀選別機の側面図
【図５】揚穀ラセン部を示す側面図
【図６】揚穀ラセン部の別実施例を示す側面図
【図７】揚穀選別機の平面図
【図８】作業形態の例を示す平面図
【符号の説明】
【００２５】
１    下部フレーム
１ａ  後端部
２    揚穀ラセン
２ａ  搬送面
２ｂ  裏側
３    揚穀フレーム
４    選別網
５    穀粒
５ａ  屑粒
５ｂ  整粒
６    屑粒シュート
７    整粒シュート
８    傾斜角変更手段
９    ホッパ
９ａ  後端部
１０  目詰まり防止具
Ａ    一次選別機
Ｌ    部位
Ｍ    駆動モータ
Ｐ    ピッチ
Ｓ    下側部
Ｗ    幅
Ｗ１  幅
Ｙ    空間部
α    傾斜角
【図１】
2008221045.tif 000003
【図２】
2008221045.tif 000004
【図３】
2008221045.tif 000005
【図４】
2008221045.tif 000006
【図５】
2008221045.tif 000007
【図６】
2008221045.tif 000008
【図７】
2008221045.tif 000009
【図８】
2008221045.tif 000010